(57)【要約】【課題】簡易な構成で有りながら、浴室或いはトイレ或いは階段等の利用者、特に高齢者或いは身体障害者等が、多くの労力を要せずに、片手で安全でしかも容易に必要な動作を実行することを可能にする手摺りを提供する。【解決手段】手摺保持部２と当該手摺保持部２に取付けられている手摺部３とから構成されており、当該手摺部３は実質的に閉鎖状の枠体５で構成され、且つ当該手摺部３は、当該手摺保持部２に対する取り付け部位４が変化し得る様に構成されている手摺構造１。【選択図】図１
2007138551.tif 000002
【特許請求の範囲】
【請求項１】
手摺保持部と当該手摺保持部に取付けられている手摺部とから構成されており、当該手摺部は実質的に閉鎖状の枠体で構成され、且つ当該手摺部は、当該手摺保持部に対する取り付け部位が変化し得る様に構成されている事を特徴とする手摺構造。
【請求項２】
当該手摺部は当該実質的に閉鎖状の枠体の少なくとも一部に湾曲状部分或いは直線状部分が含まれている事を特徴とする請求項１に記載の手摺構造。
【請求項３】
当該枠体は、充実状棒状体或いは中空状管状体で構成されている事を特徴とする請求項１又は２に記載の手摺構造。
【請求項４】
当該枠体は、実質的に円形若しくは楕円形或いは多角形の環状体で構成されている事を特徴とする請求項１乃至３の何れかに記載の手摺構造。
【請求項５】
当該手摺保持部は、棒状体或いは管状体で構成されており、且つ当該棒状体或いは管状体は直線状、屈曲状、若しくは湾曲状の何れかの形状、或いはそれらから選択された少なくとも２種の形状の組み合わせからなる形状を有している事を特徴とする請求項１乃至４の何れかに記載の手摺構造。
【請求項６】
当該手摺部は、適宜の取付部材を介して当該手摺保持部の任意の部位に配置固定されている事を特徴とする請求項１乃至５のいずれかに記載の手摺構造。
【請求項７】
当該取付部材は、当該手摺保持部と当該手摺部との間の間隔を所定の値に規定する機能を有している事を特徴とする請求項６に記載の手摺構造。
【請求項８】
当該取付部材の一方の端部には、当該手摺保持部と嵌合しながら当該手摺保持部に沿って摺動でき、且つ任意の部位で当該手摺保持部に固定される機能を有する第1の嵌合固定部材が設けられている事を特徴とする請求項１乃至７の何れかに記載の手摺構造。
【請求項９】
当該取付部材の他方の端部には、当該手摺部の一部に固定されている固定部が形成されているか、或いは当該手摺部と嵌合しながら当該手摺部に沿って摺動でき、且つ当該手摺部の任意の部位に固定される機能を有する第２の嵌合固定部材が設けられている事を特徴とする請求項１乃至７の何れかに記載の手摺構造。
【請求項１０】
当該取付部材の少なくとも当該第1と第２の嵌合固定部材の一方は、当該手摺保持部若しくは当該手摺部に対して旋回自在に構成されている事を特徴とする請求項１乃至９の何れかに記載の手摺構造。
【請求項１１】
当該手摺部の配置方向或いは配置位置が任意に可変設定できる事を特徴とする請求項１乃至１０の何れかに記載の手摺構造。
【請求項１２】
当該手摺保持部若しくは当該手摺部が中空状管状体で構成されており、且つ当該中空状管状体の少なくとも一部に当該第1と第２の嵌合固定部材の少なくとも一方が嵌合し且つ摺動可能な溝部が設けられている事を特徴とする請求項１乃至１１の何れかに記載の手摺構造。
【請求項１３】
当該第1と第２の嵌合固定部材の少なくとも一方の溝部に嵌合して固定される溝カバー部が設けられている事を特徴とする請求項１２に記載の手摺構造。
【発明の詳細な説明】
【技術分野】
【０００１】
本発明は、手摺りの構造に関するものであり、特に詳しくはトイレ或いは浴室或いは階段等で使用出来る手摺構造に関するものである。
【背景技術】
【０００２】
従来から、浴室やトイレ等にそれらの利用者の入浴動作或いは用便動作を補助するために手摺りが設けられている。
【０００３】
特に、高齢者や身体障害者がトイレ を使用する際、移動、起立又は着座若しくはしゃがみ込み等の用便動作や姿勢保持する為の労力はきつく、不便であり、相当の労力を消耗するものであった。かかる問題を緩和又は軽減するため、例えば、特開平１１−１９２１８９号公報（特許文献１）に示す様に、便器の側壁に垂直な直線状の手摺りを設けるもの、或いは、実用新案登録第３００２６０３号公報（特許文献２）に示されている様に、便器の両側に水平に手摺りを設ける例も知られている。
【０００４】
然しながら、特許文献１を含めて従来公知の直線状或いはＬ字状の手摺の構成では、利用者は片手しか使用できず、然も、当該手摺は垂直状或いは水平状でのみ配置されている為、従って動作が不安定で又、腕に加えた力が充分に身体全体を持ち上げたり、沈み込ませる動作に活用できていないので、身体のバランスを崩す事も多く、したがって危険があり、又手が滑って転倒すると言う危険もあるし、又特許文献２の構成では、利用者が両手を使用出来ることから安全性は向上するがトイレの空間が十分ある場合にのみしか使用出来ず、更にはコストが増加する問題がある。
【０００５】
即ち、従来の当該手摺りでは、その形状が直線状であるので、利用者の手首と当該手摺りとの交差する角度が、当該利用者が当該手摺りを握る位置によって大きく変わるので、不適切な角度を形成している場合が多く、身体等を持ち上げる際に力の利用効率が不安定となっている事が多いと考えられる。
【０００６】
同様に、浴室に於いても高齢者や身体障害者などの要介護者が入浴するような場合、浴槽への出入り動作、或いは浴槽内での沈み込み動作或いは立ち上がり動作等は何れもきつく、不便であり、相当の労力を消耗するものであるので、かかる問題を緩和又は軽減するため、例えば、特開平１０−２５８７４号公報（特許文献３）の図４に示す様に当該浴槽近傍の側壁に水平或いは垂直に配置された直線状の手摺りが設けられる例がある。
【０００７】
又、特開２００４−２１８３５７号公報（特許文献４）には、浴室のコーナー部に湾曲状の手摺りを設ける事も知られている。
【０００８】
上記特許文献３の様な手摺りの構成では、利用者は片手しか実質的には使用できないので極めて不安であり、特に浴槽から立ち上がる動作や浴槽から出るときの動作は、相当のエネルギーを必要とするので、危険も大きい。
【０００９】
又、両手を使用するとしても、利用者の右手と左手のそれぞれと当該手摺り迄の到達距離は異なるので、両手を使用するとなると利用者が体をかなり捻って当該手摺りにつかまる必要があり、著しく窮屈な姿勢をとらざるを得ないので、利用に不便であり、余計な労力を消費する事になる。
【００１０】
又、当該利用者が右手と左手が当該手摺り交差する角度がそれぞれ異なるので当該利用者の手と当該手摺との間で滑りが発生しやすく、危険性が高いと言う欠点があった。
【００１１】
一方、特許文献４では、浴室に於ける利用者が浴槽から出ている状態で、転倒を防止する為の掴まり部材或いは腰掛部材として使用するために浴室の角部、コーナー部に設けられるものであって、利用者が浴槽に入る動作及び浴槽から出る動作を補助するものではない。
【００１２】
一方、住宅や建物内或いは車両内に設けられた階段にも、高齢者や身体障害者が階段を昇り降りする際に、当該利用者の昇り降り動作を補助し支え、その安全性を確保する為に手摺が設けられる事は良く見られることである。
【００１３】
例えば、特開平８−２７９８８号公報（特許文献５）には、直線状の手摺を壁上或いは柱に取り付けた例が示されており、更には廻り階段の中心部には、湾曲した手摺を設ける例が示されている。
【００１４】
然しながら、特許文献５を含む上記各公知例の手摺に於いては、全て固定された形状の手摺が特定の位置に固定されて配置されているので、利用者が特定されている場合には、問題がないが、不特定多数の利用者が使用する場合とか、特定の利用者が変わった場合には、その配置位置や長さ、高さ等が利用者の体に合わない場合もあり、不便を感じる事が多く、従って、改めて手摺の付け替え作業を行わなければならず、コストが増大すると言う問題がある。
【００１５】
その他、図１３にも示されている通り、例えば、既設のトイレ１３０内に手摺２００を後付けにより取り付ける場合には、壁材１３４の内側に配置されている柱１３１或いは筋交い１３２が存在している箇所にしか当該手摺２００を取り付ける事が不可能である。
その為、便器１３３との距離が適正に採れず、使用者によっては、当該手摺２００が有効に活用できない事が多く、不便で有った。
【００１６】
【特許文献１】特開平１１−１９２１８９号公報
【特許文献２】実用新案登録第３００２６０３号公報
【特許文献３】特開平１０−２５８７４号公報
【特許文献４】特開２００４−２１８３５７号
【特許文献５】特開平８−２７９８８号公報
【発明の開示】
【発明が解決しようとする課題】
【００１７】
従って、本発明の目的は、上記問題点を改善し、簡易な構成で有りながら、浴室或いはトイレ更には階段等の利用者、特に高齢者或いは身体障害者等が、多くの労力を要せずに、安全でしかも容易に片手で必要な動作を実行することを可能にする手摺構造を提供するものである。
【課題を解決するための手段】
【００１８】
本発明は、上記目的を達成するために、以下に示す様な基本的技術構成を採用するものである。
【００１９】
即ち、本発明の態様としては、手摺保持部と当該手摺保持部に取付けられている手摺部とから構成されており、当該手摺部は実質的に閉鎖状の枠体で構成され、且つ当該手摺部は、当該手摺保持部に対する取り付け部位が変化し得る様に構成されている手摺構造である。
【発明の効果】
【００２０】
本発明に於いては、上記した技術構成を有することから、簡易な構成で有りながら、浴室或いはトイレ等の利用者、特に高齢者或いは身体障害者等が、多くの労力を要せずに、安全でしかも容易に必要な動作を実行することを可能にする手摺りが得られると共に、特にトイレ或いは浴室の利用者が片手を使用して自己の体を支えながら浴槽への出入り、浴槽への沈み込み、浴槽からの立ち上がり等の動作を安全に且つ安定した状態で確実に実行できる様になり、又トイレに於いても便器へのしゃがみ込み、着席動作及び便器からの立ち上がり動作等を片手を使用して安全に且つ安定した状態で確実に実行できるのである。
【００２１】
更に、本発明に於いては、利用者が代わって当該利用者の体の大きさが変化した場合には、当該手摺部の配置位置或いは配置方向を容易に変化させる事が出来るので、新たな手摺を購入したり、最初から当該手摺の取付工事を行わなくとも、適宜の調整部材を調整する事によって、当該手摺を当該利用者の最も便利で且つ効率的に動作が実行出来る位置及び配置形状に変更する事が可能である。
【発明を実施するための最良の形態】
【００２２】
以下に、本発明にかかる手摺構造の具体例の構成を図面を参照しながら詳細に説明する。
【００２３】
即ち、図１は、本発明にかかる当該手摺りの一具体例の構成を示したものであって、図中、手摺保持部２と当該手摺保持部２に取付けられている手摺部３とから構成されており、当該手摺部３は実質的に閉鎖状の枠体５で構成され、且つ当該手摺部３は、当該手摺保持部２に対する取り付け部位が任意に変化し得る様に構成されている手摺構造１が示されている。
【００２４】
更に、本発明に於いては、当該枠体５は、実質的に閉鎖状の形状を有する枠体５で構成されているものであり、具体的には、図２（Ａ）に示す様に、一つの平面上に形成されている円形の環状体、楕円形、矩形或いは多角形（三角形乃至８角形等の多角形）、又はそれらの組み合わせからなる環状枠体５を含むと共に、図２（Ｂ）で示す様に、当該枠体５の一部に短い非連続部分６が形成されている環状体に類似する形状の枠体５も含まれる。
【００２５】
当該非連続部分６の長さは、特に限定されるものではないが、実質的に閉鎖状の環状体として機能するものであれば本発明に於いて使用可能である。
【００２６】
又、本発明に於ける当該手摺部３の当該枠体５としては、図２（Ｃ）に示す様な、当該枠体５の一部に湾曲状部分７及び直線状部分８が共に含まれているもので有っても良い。
【００２７】
一方、本発明に於ける当該枠体５は、内部が充実している充実状棒状体或いは中空状の管状体で構成されている事が望ましく、その断面形状は特に特定されるものではないが、例えば、円形、楕円形等の形状である事が好ましく、又それらの直径或いは長径又は短径等の大きさは、利用者が握り易い範囲の大きさである事が望ましい。
【００２８】
更に、本発明に於ける当該手摺構造１に於ける当該手摺部３を構成する当該枠体５は、従来一般的に使用されている適宜の金属製或いは適宜の合成樹脂製或いは適宜のセラミック製、木材等の材料、更には、上記した各材料の複合材等で構成されている事が望ましい。
【００２９】
又、当該枠体５が合成樹脂或いはセラミックで構成される場合には、適宜のモールド成形加工或いは射出成形加工等によって形成されるものである事が望ましい。
【００３０】
尚、本発明に於ける当該手摺部３の実質的に閉鎖状の枠体５は、図８（Ａ）に示す様に実質的に同一平面Ｓ１上に形成されている事が望ましいが、その用途や、目的或いは複雑な利用態様が考慮される場合には、図８（Ｂ）に示す様に当該手摺部３の実質的に閉鎖状の枠体５の一部が、上記した同一平面Ｓ１から離反して、立体的に湾曲部５１或いは直線部が形成されているもので有っても良い。
【００３１】
一方、本発明に於ける当該手摺構造１で使用される当該手摺保持部２は、図３（Ａ）及び（Ｂ）に示されている様に、適宜の材料からなる棒状体或いは管状体９で構成されており、且つ当該棒状体或いは管状体９は直線状であるものが主たる具体例ではあるが、その他の具体例としては、図３（Ｃ）或いは、図３（Ｄ）に示す様に、Ｌ字状を含む屈曲状若しくは湾曲状或いはその組み合わせからなる形状を有しているもので有っても良い。
【００３２】
即ち、本発明に於ける当該手摺保持部２は、所定の長さを有する直線状の棒状体或いは管状体であっても良く、適宜の曲率を持った１つ或いはそれ以上の数の湾曲部或いは、所定の角度を有する１つ或いはそれ以上の数の角部を有するもので有っても良い。
【００３３】
更には、直線状部分と湾曲状部分或いは角状部分から選択された少なくとも２種類の部分が組み合わされて構成されたもので有っても良い。
【００３４】
尚、本発明で使用される当該手摺保持部２は、既に配置されている既存の手摺２０を使用するもので有っても良い。
【００３５】
一方、本発明に於ける当該手摺保持部２の断面形状は特に特定されるものではないが、例えば、円形、楕円形等の形状である事が好ましく、又本発明に於ける当該手摺部３の断面形状も特に特定されるものではないが、例えば、円形、楕円形等の形状である事が好ましく、それらの直径或いは長径又は短径等は、当該手摺部３を利用する利用者が握り易い範囲の大きさである事が望ましい。
【００３６】
更に、本発明に於ける当該手摺構造１に於ける当該手摺保持部２は、従来一般的に使用されている適宜の金属製或いは適宜の合成樹脂製或いは適宜のセラミック製等の材料で構成されている事が望ましい。
【００３７】
又、当該手摺保持部２が合成樹脂或いはセラミックで構成される場合には、適宜のモールド成形加工或いは射出成形加工等によって形成されるものである事が望ましい。
【００３８】
本発明に於ける当該手摺保持部２は、図３に示す様に、その両端部に、壁、天井或いは床等の適宜の表面と接触して固定出来る適宜の構造からなる固定部材１０が設けられている事が望ましい。
【００３９】
更に、本発明に於ける当該手摺保持部２は、トイレ、浴室或いは階段等の適宜の壁部に取り付けられる様に構成されているもので有っても良く、又トイレ、浴室或いは階段の天井部と床部との間に配置固定されるように構成されているもので有っても良い。
【００４０】
更には、上記した特許文献２に示す様に、図３（Ｅ）の如く床上に直接配置固定する様に構成されているもので有っても良い。
【００４１】
本発明に於いては、図４（Ａ）乃至（Ｃ）に示す様に、当該直線状の形状を有する構成からなる当該手摺保持部２が単独で例えば特定の空間内の壁部に垂直に或いは水平に取り付けられるもので有っても良く、或いは、当該壁面に斜めに取り付けられるもので有っても良い。
【００４２】
更には、複数本の当該手摺保持部２が所定の間隔をおいて平行して当該壁面に配置固定されているものであっても良く、それらを図４（Ｄ）に示す様に格子状に配列したもので有っても良い。
【００４３】
更には、図４（Ｆ）及び（G）に示す様に、屈曲状或いは湾曲部を有する当該手摺保持部２が複数個並列状に或いは所定の位置関係を保って隣接配置したもので有っても良い。
【００４４】
又、本発明に於いても、その直線部分が所定の壁部に垂直に或いは水平に取り付けられるもので有っても良く、或いは、当該壁面に斜めに取り付けられるもので有っても良い。
【００４５】
更には、図４（Ｅ）に示す様に、２個のＬ字型手摺保持部２が、その頂点部を相互に対向させて配置したものであっても良い。
【００４６】
一方、本発明に於ける当該手摺構造１に於いては、上記した手摺保持部２と手摺部３とが少なくとも一つの適宜の取付部材４を介して相互に且つ任意の所定の部位で配置固定される様に構成されているものである。
【００４７】
図５は、本発明に於ける当該取付部材４が一つの手摺部３に対して２個配置されている（４’、４”）例を示したものである。又図５及び図６から明らかな通り、当該取付部材４は、当該手摺保持部２と当該手摺部３との間の間隔を規定するか或いは調整する機能を有しているものであり、従って所定の長さｍを有している。
【００４８】
当該取付部材４は、少なくとも２個、必要により３個乃至それ以上の個数の取付部材４が当該手摺部２に設けられているもので有っても良い。
【００４９】
当該取付部材４の長さは特に特定されるものではなく、場合によっては、実質的に外部から観察されないで、単に当該手摺部３と当該手摺保持部2とを接続するに十分な程度の長さを有するもので有っても良い。
【００５０】
又、当該取付部材４の長さは、当該手摺部３の用途によって或いは利用者の状況に合わせて適宜の長さを設定する事が望ましい。
【００５１】
更に、本発明に於ける当該取付部材４は、当該手摺部３上を当該手摺部の長手方向に沿って自由に摺動可能であり、任意の位置で固定される事が出来る。
【００５２】
一方、本発明に於ける当該取付部材４は、当該手摺保持部２上を当該手摺保持部２の長手方向に沿って自由に摺動可能であり、且つ任意の位置で固定される事が出来る。
【００５３】
本発明に係る当該取付部材４のより詳細な具体例としては、図７に示す様に、当該取付部材４の一方の端部には、当該手摺保持部２と嵌合し且つ当該手摺保持部２に沿って摺動でき、更に任意の部位で当該手摺保持部２に固着せしめられる嵌合固定部材として機能する第１の嵌合固定部材４１が設けられており、又当該取付部材４の他方の端部は、当該手摺部３に直接的に固着せしめられる固定部６０を形成するか、図９に示す様に当該手摺部３と嵌合し且つ当該手摺部３に沿って摺動でき、更に好ましくは任意の部位で当該取付部材４を手摺部３に固定せしめる嵌合固定部材として機能する第２の嵌合固定部材６１が設けられているものである。
【００５４】
本発明に於ける当該第1の嵌合固定部材４１の具体的な構成を説明するならば、図７に示されている通り、当該取付部材４の端部にボルト等４５によってその一端部が固定された当該手摺保持部２を囲繞する帯状片４９を設け、当該帯状片４９がその内部に当該手摺保持部２を巻き込んだ後で当該帯状片４９の他方の端部に設けられた係合締付部４７を当該取付部材４に締付固定させる様に構成したものであっても良い。
【００５５】
又、本発明に於ける手摺構造１の他の具体例に於いては、当該取付部材４の少なくとも一部は、例えば、当該手摺保持部２と嵌合摺動する第１の嵌合固定部材４１の少なくとも一方の端部に、当該取付部材４に対して若しくは当該手摺部３若しくは当該手摺保持部２に対して任意の方向に回転し得る旋回自在な旋回機構部２００を設ける様に構成されているものである。
【００５６】
又、本発明に於いては、当該取付部材４に於ける当該手摺部３と接合する方の端部に於ける当該第２の嵌合部材６１は、好ましくは、当該取付部材４の当該端部が当該手摺部３に対して摺動できる様に構成されている事が望ましく、一具体例としては、図９に示す様に、当該第２の嵌合固定部材は、当該手摺部３内部を中空６２に構成し、且つ当該中空部６２の一部に開口溝６３を形成せしめて、当該取付部材４の端部に形成された拡大ヘッド部６４を当該開口溝６３より当該中空部６２内に挿入する事によって実現可能である。
【００５７】
又、本具体例に於ける当該第1の嵌合固定部材４１は、図７に示される当該第1の嵌合固定部材４１の構造と同じ構成を示しているが、本具体例に於ける当該第1の嵌合固定部材４１も当該第２の嵌合固定部材６１の構成と同じ構造を有するものを使用することも可能であることは言うまでもない。
【００５８】
勿論、当該第２の嵌合固定部材６１も、図７に示す様な、当該第1の嵌合固定部材４１と同じ構造を採用する事も可能である。
【００５９】
尚、６５は、当該取付部材４の端部を当該手摺部３の溝部６３の適宜の部位で固定するための締め付け部材である。
【００６０】
前者の場合には、当該手摺部３を当該手摺保持部２に取り付けるに際して、取付位置及び取り付け方向が比較的制限されるが、後者の場合には、かなりのフレキシブル性が発揮されるので、当該手摺部３を当該手摺保持部２に取り付けるに際して、取付位置及び取り付け方向のバリエーションが広がる効果がある。
【００６１】
更に、本発明に係る当該取付部材４の別の構成例を図１１に示す。
【００６２】
即ち、本具体例に於いては、当該取付部材４に設けられている当該第１と第２の嵌合固定部材４１および６１の少なくとも一方の嵌合固定部材が、半割り構造を有しているものである。
【００６３】
つまり、当該取付部材４に設けられている当該第１と第２の嵌合固定部材４１および６１の少なくとも一方の嵌合固定部材は当該取付部材４に固定されている第１の半割部１１２と当該第１の半割部１１２から分離されている第２の半割部１１１とから構成され、その両者は、適宜の固定部材１１３、１１４により着脱自在に相互に固定されるように構成されていることが望ましい。
【００６４】
即ち、他方の嵌合固定部材も、当該取付部材４に固定されている第１の半割部１１２’と当該第１の半割部１１２’から分離されている第２の半割部１１１’とから構成され、その両者は、適宜の固定部材１１３’、１１４’により着脱自在に相互に固定されるように構成されている。
【００６５】
本発明に於いて、図１２に示す様に、当該中空状の手摺保持部２或いは当該手摺部３の何れか或は双方に当該取付部材４を摺動自在に摺動することを可能とする為に、当該手摺保持部２或いは当該手摺部３に適宜の溝部６３を設ける場合には、当該取付部材４を所定の部位に固定した後、当該溝部６３を隠匿する為に、図１２（Ｂ）及び図１２（Ｃ）に示す様に、軟質合成樹脂で形成されたカバー部材６６を使用して、当該カバー部材６４を当該溝部６３内に嵌合させることにより当該溝部が外部から観察できることを防止出来る。
【００６６】
尚、当該手摺部３に当該溝部６３を設ける場合、当該手摺部３が円形の場合には、当該溝部６３を形成することが困難であるが、当該手摺部３が楕円形の場合には、当該溝部６３を図５（Ｂ）に示す様な形状に形成すれば可能である。
【００６７】
本発明に於いては、当該手摺保持部２と当該手摺部３とを接合して手摺構造１を実現するものであるが、上記した様に、それぞれの構成を活用して、種々の形態の手摺構造１を実現させる事が可能となる。
【００６８】
一例を図１０を参照して説明するならば、図１０は、楕円形の枠体５で構成された手摺部３で２個の取付部材４’、４”が設けられており、当該取付部材４’、４”を介して壁面に設けた適宜の手摺保持部２に取り付けて使用する例を示したものである。
【００６９】
即ち、図１０（Ａ）は、トイレの壁面部にＬ字型の形状をもつ手摺保持部２を設け、当該手摺保持部２に２個の取付部材４’、４”を持った楕円形の手摺部３を当該取付部材４’、４”を介して当該手摺保持部２に固着配置させたものである。
【００７０】
本具体例では、楕円形手摺部３をその長径が当該トイレの床面と水平となるように配置されているので、当該手摺部３の図からみて右側の湾曲頂点部Ｐが、円形の手摺部３を使用する場合に比べて、利用者に近い位置に配置されるので、利用者に便利であり、特に体が小さい利用者にとっては、手摺の握り部が身近に配置されているので便利である。
【００７１】
係る当該手摺部３の固定位置は、必要に応じ或いは利用者の体の大きさに合わせて自在に調整する事が可能である。
【００７２】
然も、本発明に於ける当該手摺構造１では、利用者が当該手摺構造１を片手で握り所定の力を加えて立ち上がるか沈み込む場合に、従来の水平若しくは垂直の手摺であれば、当該ユーザーの手首が一定の形に固定されてしまい、任意の力を加えることが不可能であったが、本発明では湾曲状の手摺を使用しているため、ユーザーが当該手摺部を握った場合の手首の配置形態が印加された力を最大限に発揮できる形状を取りうるので、当該力の利用効率が大きくなる。
【００７３】
つまり、本発明に於いては、利用者の手首と当該手摺部との成す角度が容易に得られるのである。即ち、当該利用者が自己の腕を手摺に沿って前後に任意に動かし、握った場合の安定間が得られる処を最適な手首の配置位置と決定する事が出来るので、当該利用者の手首と当該手摺との間の角度を自動的に設定する事が可能となるのである。
【００７４】
又、係る構成の手摺構造１では、利用者が片手で当該手摺部３を握るだけであるが、当該利用者が当該手摺を握る部位がその手首の形状を自然に最適な状態に設定できるので、動作がスムーズになる他、動作が確実に実行できるという効果がある。
【００７５】
又、図１０（Ａ）の具体例に於いては、更に、点線で示す様に、当該手摺部３の当該取付部材４’、４”の取付位置を種々に変化させる事によって、当該手摺部３を種々の方向に配置固定させる事が出来るので、利用者の体の大きさや用途、目的等によって最適の位置に固定する事が出来る。
【００７６】
一方、図１０（Ｂ）は、本発明に係る当該手摺構造１を浴室に設置するに際し、当該浴室の壁面部に、先ず当該手摺保持部２の直線状部分を垂直方向に取り付け、これに本発明にかかる当該楕円形手摺部３をその長径が当該浴室の床面と垂直となるように配置した具体例を示している。
【００７７】
又、図１０（Ｃ）は、本発明に係る当該手摺構造１を階段部の壁面部に、当該手摺保持部２の直線状部分が床面に対して垂直方向に取り付け、これに本発明にかかる当該楕円形手摺部３をその短径が当該床面と垂直となるように配置した具体例を示している。
【００７８】
図１０（Ｂ）及び図１０（Ｃ）の具体例でも、当該手摺保持部２に対する当該手摺部３の配置位置或いは配置取付方向は、適宜選択して設定する事が可能である。
【００７９】
本発明に於いては、当該直線状の手摺り２を適宜の壁面に斜めに取付けて当該手摺部３を固定配置するもので有っても良く、或いは、当該直線状の手摺保持部２を複数本格子状に配列して、その適宜の部位に当該適宜の形状を有する手摺部３を固定配置するもので有っても良い。
【００８０】
更に、当該手摺保持部２は直線状部分のみで構成されたもので有っても良く、或いは、直線状部分に屈曲状部或いは湾曲状部とが混在されているもので有っても良い事は言うまでもない。
【００８１】
更に、本発明に於ける当該手摺部３の表面部の少なくとも一部は、摩擦性の大きい部材で形成されているか、摩擦性の大きい皮膜層でカバリングされていても良く、適宜の突起部或いは溝状部等が複数個配列された摩擦性の大なる表面形状を有しているもので有っても良い。
【００８２】
更に、本発明に於ける当該手摺構造１の別の具体例としては、図１４に示す様に、円形或いは楕円形の枠体５からなる手摺部３の略中央部にその中心部を通る補助板部１３１を取り付け、当該補助板部１３１の略中央部にスリット部１３２を設けておき、当該スリット部１３２を介して予め設定されている適宜の手摺保持部２に設けられている開口溝部６３内に嵌入出来る適宜の位置決め固定部１３３を用いて当該手摺部３の枠体５を当該手摺保持部２に固定するものである。
【００８３】
係る構成により、当該枠体５は、当該手摺保持部２に沿って任意の位置に配置固定されると同時に当該手摺保持部２に対して直交する方向にもその位置を調整する事が可能になる。
【００８４】
勿論、本具体例でも当該枠体５と当該手摺保持部２とを固定する際に、上記した取付部材４を併用する事も可能である。
【００８５】
次に、本願発明者は、本願発明に係る手摺構造１と従来一般的に使用されている手摺構造との作用効果の相違を明らかにするために、以下に説明する様な比較実験を行った。
【００８６】
即ち、図１５（Ａ）及び図１５（Ｂ）に示す様に、便座の側壁に従来一般的に使用されているＬ字型の手摺部を取り付けたものを用意し、ユーザーが当該手摺部を片手で把持して便座から立ち上がるときに手すりに作用する荷重を測定したものである。
【００８７】
実験１(直線型手摺の水平部を把持した場合)
実験要領としては、Ｌ字型の手摺部の水平部分をユーザーが片手で把持して立ち上がる場合の上記荷重を測定した。
【００８８】
又、本実験では、ユーザーが高齢者であることを想定して、被実験者（学生）が高齢者の身体的な条件に合わせるため、被実験者は足を組んで立ち上がるようにし、その際に当該手摺部に作用する力を測定した。
【００８９】
係る実験に於いて、Ｆは手摺部に作用する全荷重、ＲｘはＦの水平方向分力、Ｒｙ
はＦ の鉛直方向分力である。Ｒｘ は体を前に移動し、Ｒｙ は体を上に持ち上げることに有効であると考えられる。Ｆが大きいほうが手摺部は有効に使われていると考えられ、足への負担も小さくなると考えられる。
【００９０】
又、本実験に於いて、図１５（Ａ）及び図１５（Ｂ）に示す距離Ａを２段階に又距離Ｂを３段階にそれぞれ変化させて実験を行った。
【００９１】
又、図１５（Ｂ）に示す距離Ｃは、被実験者が当該手摺を持ちやすい位置とした。
【００９２】
実験結果
本実験の実験結果は、図１５（Ｃ）乃至（Ｅ）に示す通りであり、測定結果より、当該荷重は手摺部が低いほうが大きくなっている．また、Ｒｘ
は変化が見られず、Ｒｙ は手摺部が低いほうが大きくなっている。
【００９３】
実験２(直線型手摺の垂直部を把持した場合)
実験要領としては、Ｌ字型の手摺部の垂直部分をユーザーが片手で把持して立ち上がる場合の手すりに作用する荷重を測定した。
【００９４】
実験要領は、上記実験１の場合と同一としている。
【００９５】
実験結果
本実験の実験結果は、図１６（Ｃ）乃至（Ｅ）に示す通りであり、測定結果より、当該荷重は手摺部が低いほうが大きくなっている．また、Ｒｘ
は変化が見られず、Ｒｙ は手摺部が低いほうが大きくなっている。
【００９６】
Ｆ、Ｒｘ、Ｒｙにそれほど大きな変化は見られない。又水平部の場合と比べると荷重Ｆ及びＲｙが小さくなっており、この結果から垂直部は体勢を保持する程度にしか利用されていないと判断される。
【００９７】
実験３(円形手摺を把持した場合)
実験要領としては、Ｌ字型の手摺部の代わりに、図１７（Ａ）及び図１７（Ｂ）に示す様な、円形の手摺部（サークルライン）を用いて手すりに作用する荷重の測定を行った。
【００９８】
サークルラインは上部が直線型手摺部の水平部、左右部が直線型手摺部の垂直部に相当するものと考えられる。また、水平部、垂直部以外の部分も使用できるため、手摺部を使用する人が使いやすい位置を自由に選べるという利点を持つ。
【００９９】
実験要領は、図１７（Ａ）に於ける距離Ａを３５０ｍｍと固定した状態で行った以外は上記実験１の場合と同一としている。又握る位置は被実験者の握り易い位置とした。
【０１００】
実験結果
本実験の実験結果は、図１７（Ｃ）乃至（Ｅ）に示す通りであり、測定結果より、Ｆ及びＲｙは手摺部の高さが低くなるほど大きくなっているが、Ｒｘ
は大きな変化は見られない。また、手摺部の位置Ｃの違いによる荷重の変化はあまり見られない。
【０１０１】
次に、上記実験結果を基に、直線型手摺部と本発明に係る円形手摺部との比較を行った。
【０１０２】
図１８は、手摺部を水平あるいは垂直に設置する直線型手摺部と円形手摺部を比較したもので、手摺部に作用する最大荷重の違いを示したものである。円形手摺部に作用する荷重は、他の直線型手摺部に比べ約2 倍程度大きくなっている。これは、便座などに座った状態から立ち上がる動作において、円形手摺部には力が掛けやすく、動作補助手摺部として極めて有効であることを示している。
【０１０３】
水平や垂直の直線型手摺部を使用する場合、手摺部を握る位置の自由度は、水平の場合は近遠、垂直の場合は高低だけである。したがって、設置された直線型手摺部の位置が使用者の体形に合わないことも予想される。
【０１０４】
一方、円形手摺部は、握る位置を円弧の任意の位置に設定できることから、使用者に適した近遠・高低の握り位置が選択でき、かつ握り角度も傾斜部を選べることから、水平や垂直に比べて手首に無理のない自然な握りができる。その結果、力を入れやすい握り状態となるため、手摺部をしっかりと使用した動作となり、大きな力を掛けることができる。
【０１０５】
このように円形手摺部は、立ち上がりの動作補助手摺部として、使用者の体形にあまり関係なく、大きな力を掛けることのできる有効な形状といえる。
【０１０６】
又、従来の手摺部と本発明に係る手摺部に作用する力を相互に比較した結果を図１９に示す。
【０１０７】
即ち、図１９は、水平および垂直に設置した従来の直線型手摺部（図１９（Ａ）及び図１９（Ｂ））と本発明に於ける円形手摺部の水平とみなせる部分（図１９(Ｃ) ）および垂直とみなせる部分（図１９ (Ｄ) ）を比較したもので、全く同じ位置を使用するとき手摺部に作用する荷重の違いを示したものである。図１９は使用する位置を示し、いずれの場合もＢ＝２５０ｍｍ、Ｃ＝２５０ｍｍである。
【０１０８】
円形手摺部に作用する荷重は、直線型手摺部に比べやや大きくなっている。また、Ｒｙは直線型手摺部を垂直に設置した場合非常に小さくなっているが、円形手摺部の垂直部分を使用した場合大きくなっていることがわかる。これは、円形手摺部のどの部分を使用しても直線型の手摺部よりも有効であることを示している。また、円形手摺部に存在するディンプルや手摺部の材質、手摺部の大きさなどの影響も考えられる。
【０１０９】
以上の実験結果より、本発明に係る手摺構造１は、従来の手摺に比べて明らかにユーザーの腕の力を有効に立ち上がる動作に活用できる事が理解されるのであり、その結果、高齢者等が便座或いは浴槽から立ち上がる際の動作が容易に且つスムーズに行われると同時に従来の手摺に比べて腕に掛ける力をセーブする事が可能であるとの作用効果を発揮する事が実証された。
【図面の簡単な説明】
【０１１０】
【図１】図１は、本発明に於ける手摺構造の一具体例の構成を示す図である。
【図２】図２は、本発明に於ける手摺構造で使用される手摺部の具体例を示す図である。
【図３】図３は、本発明に於ける手摺保持部の構成例示す図である。
【図４】図４は、本発明に於ける手摺保持部の配置形状の例を示す図である。
【図５】図５は、本発明に於ける手摺部の具体例を示す図である。
【図６】図６は、本発明に於ける手摺構造に於ける手摺保持部と手摺部との接合関係の一具体例の構成を示す図である。
【図７】図７は、本発明に於ける取付部材の一具体例に於ける構成を示す図である。
【図８】図８は、本発明に於ける手摺部の別の具体例の構成を示す図である。
【図９】図９は、本発明に於ける取付部材の他の具体例に於ける構成の概略を示す図である。
【図１０】図１０は、本発明に於ける手摺構造の使用例を説明する図である。
【図１１】図１１は、本発明に於ける手摺構造の更に別の具体例の構成を示す図である。
【図１２】図１２は、本発明に於ける手摺保持部の他の具体例を示す図である。
【図１３】図１３は、従来の手摺構造の一例を示す図である。
【図１４】図１４は、本発明に於ける手摺構造の更に他の具体例の構造を示す図である。
【図１５】図１５は、本発明に於ける手摺部と従来の手摺構造との比較実験の結果を示す図である。
【図１６】図１６は、本発明に於ける手摺部と従来の手摺構造との比較実験の結果を示す図である。
【図１７】図１７は、本発明に於ける手摺部と従来の手摺構造との比較実験の結果を示す図である。
【図１８】図１８は、本発明に於ける手摺部と従来の手摺構造との比較実験の結果を示す図である。
【図１９】図１９は、本発明に於ける手摺部と従来の手摺構造との比較実験の結果を示す図である。
【符号の説明】
【０１１１】
１    手摺構造
２    手摺保持部
３    手摺部
４    取付部材
５    枠体
６    非連続部分
７    湾曲状部分
８    直線状部分
９    棒状体或いは管状体
１０    固定部材
２００    旋回機構部
４１    第1の嵌合固定部材
５１    立体状湾曲部
６１    第２の嵌合固定部材
６２    中空
６３    開口溝部
６４    拡大ヘッド部
６５    締め付け部材
６６    溝カバー部
１１１    第２の半割部
１１２    第１の半割部
１１３    固定部材
１１４    固定部材
１３１    補助板部
１３２    スリット部
１３３    位置決め固定部
【図１】
2007138551.tif 000003
【図２】
2007138551.tif 000004
【図３】
2007138551.tif 000005
【図４】
2007138551.tif 000006
【図５】
2007138551.tif 000007
【図６】
2007138551.tif 000008
【図７】
2007138551.tif 000009
【図８】
2007138551.tif 000010
【図９】
2007138551.tif 000011
【図１０】
2007138551.tif 000012
【図１１】
2007138551.tif 000013
【図１２】
2007138551.tif 000014
【図１３】
2007138551.tif 000015
【図１４】
2007138551.tif 000016
【図１５】
2007138551.tif 000017
【図１６】
2007138551.tif 000018
【図１７】
2007138551.tif 000019
【図１８】
2007138551.tif 000020
【図１９】
2007138551.tif 000021